(57)【要約】【課題】昇降体の変位およびガイドレールの撓みに対応して必要な係り代を保持することのできるエレベータのレール外れ止め装置の提供。【解決手段】ガイドレール３に対向する外れ止め体１１、外れ止め体１１を水平方向に移動可能に支持する支持体、例えば長穴１２ａを介して外れ止め体１１が連結されかつ下端が軸支されるロッド１２、ロッド１２にガイドレール３方向への押圧力を付与する押圧体、例えばロッド１２および板体５ｂ間に介設される引張りばね１３、ガイドレール３に摺接し外れ止め体１１とガイドレール３との間隔を保持する間隔保持体、例えばロッド１２に取付けられる小ロッド１４ａおよび小ロッド１４ａに軸支されガイドレール３に摺接するローラ１４ｂを備え、外れ止め体１１を昇降体の変位およびガイドレールの撓みに追従させる。【選択図】      図１
2004231342.tif 000002
【特許請求の範囲】
【請求項１】
昇降路を昇降する昇降体にガイドレールに係合するガイド装置を備えたエレベータであって、前記ガイド装置の近傍に設けられ、前記昇降体が前記ガイドレールから外れることを防止するエレベータのレール外れ止め装置において、
前記ガイドレールに対向する外れ止め体と、この外れ止め体を水平方向に移動可能に支持する支持体と、この支持体にガイドレール方向への押圧力を付与する押圧体と、前記ガイドレールに摺接し前記外れ止め体と前記ガイドレールとの間隔を保持する間隔保持体とを備えたことを特徴とするエレベータのレール外れ止め装置。
【請求項２】
前記支持体は、その上端に形成された長穴を介して前記外れ止め体が連結されるとともに、その下端が回動可能に軸支されるロッドから成ることを特徴とする請求項１記載のエレベータのレール外れ止め装置。
【請求項３】
前記押圧体は、一端が前記支持体に取付けられるとともに、他端が前記昇降体側に取付けられる引張りばねから成ることを特徴とする請求項１記載のエレベータのレール外れ止め装置。
【請求項４】
前記間隔保持体は、一端が前記支持体に取付けられる小ロッドと、この小ロッドの他端に回転可能に軸支されるとともに前記ガイドレールに摺接するローラとから成ることを特徴とする請求項１記載のエレベータのレール外れ止め装置。
【請求項５】
前記間隔保持体は、前記外れ止め体に回転可能に軸支されるとともに前記ガイドレールに摺接するローラから成ることを特徴とする請求項１記載のエレベータのレール外れ止め装置。
【発明の詳細な説明】
【０００１】
【発明の属する技術分野】
本発明は、エレベータのレール外れ止め装置に係り、特に、昇降体がこの昇降体を案内するガイドレールから外れることを防止するエレベータのレール外れ止め装置に関する。
【０００２】
【従来の技術】
エレベータにあっては乗かごおよびつり合いおもりの昇降を案内するため一対のガイドレールが昇降路に立設されるとともに、これらのガイドレールに乗かごおよびつり合いおもりの四隅に取付けられたガイド装置が係合し、かつこのガイド装置の直上または直下に、乗かごおよびつり合いおもりがガイドレールから外れることを防止するエレベータのレール外れ止め装置が設けられている。従来、乗かごに水平に取付けられ、ガイドレールに接して転動するローラを支持するローラ支持部材に、ガイドレールの正面および両側面を挟み込むように切欠き部を設けレール外れ止め装置としたものがある（例えば、特許文献１参照。）。
【０００３】
このように構成されたレール外れ止め装置により、地震等により乗かごおよびつり合いおもりが変位するとともに、ガイドレールに撓みが生じてもレール外れ止め装置がガイドレールに係合することにより乗かごおよびつり合いおもりがガイドレールから外れることを防止する。
【０００４】
【特許文献１】
特開２０００−４４１４１号公報  （段落番号００２２、第２図）
【０００５】
【発明が解決しようとする課題】
ところで、ガイドレールに大きな撓みが生じても外れ止め装置とガイドレールとの係合を保持するため、外れ止め装置の係り代を大きくすることが望まれるが、前述した従来のものでは、係り代を大きくするとガイドレール継ぎ目板の固定ボルトにレール外れ止め装置が衝突する恐れがある。このため係り代の大きさには限界があるとともに、外れ止め装置の確実な係合を可能にするためガイドレール自体の撓みを抑える必要がある。したがって昇降路壁にガイドレールを取付けるレールブラケットの設置個数、またはガイドレールのサイズにより撓み防止に対応する必要があった。
【０００６】
本発明はこのような従来技術における実情に鑑みてなされたもので、その目的は、昇降体の変位およびガイドレールの撓みに対応して必要な係り代を保持することのできるエレベータのレール外れ止め装置を提供することにある。
【０００７】
【課題を解決するための手段】
この目的を達成するために本発明の請求項１に係る発明は、昇降路を昇降する昇降体にガイドレールに係合するガイド装置を備えたエレベータであって、前記ガイド装置の近傍に設けられ、前記昇降体が前記ガイドレールから外れることを防止するエレベータのレール外れ止め装置において、前記ガイドレールに対向する外れ止め体と、この外れ止め体を水平方向に移動可能に支持する支持体と、この支持体にガイドレール方向への押圧力を付与する押圧体と、前記ガイドレールに摺接し前記外れ止め体と前記ガイドレールとの間隔を保持する間隔保持体とを備えた構成にしてある。
【０００８】
本発明の請求項１に係る発明によれば、ガイドレールに対向する外れ止め体は支持体により水平方向に移動可能に支持されるとともに、支持体および外れ止め体には押圧体により常にガイドレール方向へ押圧力が付与され、かつ外れ止め体とガイドレールとの間隔を保持する間隔保持体がガイドレールに摺接している。そして昇降体の変位およびガイドレールの撓みが生じた場合、間隔保持体と押圧体との相関関係に応じて、昇降体とガイドレールが離隔すると支持体および外れ止め体はガイドレール方向に変位し、一方、昇降体とガイドレールが近接すると支持体および外れ止め体はガイドレールから離れる方向に変位する。このように外れ止め体は地震等による昇降体の変位およびガイドレールの撓みに追従することから必要な係り代を保持することができる。
【０００９】
また、本発明の請求項２記載に係る発明は、前記支持体は、その上端に形成された長穴を介して前記外れ止め体が連結されるとともに、その下端が回動可能に軸支されるロッドから成る構成にしてある。
【００１０】
本発明の請求項２に係る発明によれば、ロッドの上端に長穴が形成され、この長穴を介して外れ止め体が連結されるとともに、ロッドの下端は回動可能に軸支される。これにより外れ止め体は水平方向に移動可能に支持される。
【００１１】
さらに、本発明の請求項３記載に係る発明は、前記押圧体は、一端が前記支持体に取付けられるとともに、他端が前記昇降体側に取付けられる引張りばねから成る構成にしてある。
【００１２】
本発明の請求項３に係る発明によれば、引張りばねの一端が支持体に、他端が昇降体側に取付けられることにより、支持体を所定の押圧力により安定してガイドレール方向へ押圧することができる。
【００１３】
さらにまた、本発明の請求項４記載に係る発明は、前記間隔保持体は、一端が前記支持体に取付けられる小ロッドと、この小ロッドの他端に回転可能に軸支されるとともに前記ガイドレールに摺接するローラとから成る構成にしてある。
【００１４】
本発明の請求項４に係る発明によれば、小ロッドの一端が取付けられる支持体は押圧体により常にガイドレール方向へ押圧されることから、小ロッドの他端に軸支されるローラは負荷がかかった状態でガイドレールに摺接し、このローラの水平方向の動きは小ロッドおよび支持体を介して外れ止め体に伝えられる。これにより外れ止め体は昇降体の変位およびガイドレールの撓みに追従することができる。
【００１５】
また、本発明の請求項５記載に係る発明は、前記間隔保持体は、前記外れ止め体に回転可能に軸支されるとともに前記ガイドレールに摺接するローラから成る構成にしてある。
【００１６】
本発明の請求項５に係る発明によれば、支持体は押圧体により常にガイドレール方向へ押圧されることから、この支持体によって支持された外れ止め体に軸支されたローラは負荷がかかった状態でガイドレールに摺接し、このローラの水平方向の動きは直接外れ止め体に伝えられる。これにより外れ止め体は昇降体の変位およびガイドレールの撓みに追従することができる。
【００１７】
【発明の実施の形態】
以下、本発明のエレベータのレール外れ止め装置の実施の形態を図に基づいて説明する。
【００１８】
図１はエレベータのレール外れ止め装置の第１の実施形態を示す側面図、図２は図１のレール外れ止め装置の平面図、図３は図１のレール外れ止め装置が取付けられる乗かごの正面図、図４は乗かごが水平変位したときの状態を示す平面図である。
【００１９】
エレベータは図３に示すように、昇降路１内を昇降する昇降体、例えば乗かご２と、この乗かご２の昇降を案内するガイドレール３と、乗かご２の強度部材となるかご枠２ａに取付けられるロープ４と、かご枠２ａの上下左右にそれぞれ設けられ、ガイドレール３に係合するガイド装置５とを有している。ガイド装置５は図１に示すように、ガイドレール３に係合するガイドシュー５ａと、かご枠２ａに取付けられガイドシュー５ａを支持するＬ字状の板体５ｂとを備えている。
【００２０】
そして、第１の実施形態のレール外れ止め装置１０は図１、図２に示すように、ガイドレール３に対向する外れ止め体１１と、この外れ止め体１１を水平方向に移動可能に支持する支持体、例えばその上端に形成された長穴１２ａを介して外れ止め体１１が連結されるとともに、その下端が回動可能に軸支されるロッド１２と、支持体であるロッド１２にガイドレール３方向への押圧力を付与する押圧体、例えば一端がロッド１２に取付けられるとともに他端が板体５ｂに取付けられる引張りばね１３と、ガイドレール３に摺接し外れ止め体１１とガイドレール３との間隔を保持する間隔保持体、例えば一端がロッド１２に取付けられる小ロッド１４ａおよびこの小ロッド１４ａの他端に軸支されるとともにガイドレール３に摺接するローラ１４ｂとを備えている。
【００２１】
また、外れ止め体１１は、ガイドシュー５ａに形成された溝５ａ１に係合されるとともに、外れ止めピン１１ａが溶接により溶着され、この外れ止めピン１１ａがロッド１２の長穴１２ａに挿通される。さらに、ロッド１２は、その下端が板体５ｂに溶接によって溶着された大ヒンジ１５に大ヒンジピン１５ａを介して回動自在に軸支される。さらにまた、引張りばね１３は、一端がロッド１２の中間位置に溶接で溶着されたばね止め１６に取付けられるとともに、他端が板体５ｂに溶接により溶着されたばね止め１７に取付けられる。また、小ロッド１４ａは、その中間部が板体５ｂに形成された貫通孔５ｂ１に挿通されるともに、一端がロッド１２に溶接により溶着された小ヒンジ１８に小ヒンジピン１８ａを介して回動自在に軸支される。
【００２２】
この第１の実施形態にあっては、ロッド１２には引張りばね１３により常にガイドレール３方向への押圧力が付与されているとともに、小ロッド１４ａに軸支されるローラ１４ｂがガイドレール３に摺接し外れ止め体１１とガイドレール２との間隔を保持している。これにより、例えば地震により乗かご２が水平変位するとともにガイドレール３が撓み、乗かご２とガイドレール３が離隔すると、図４に示すようにその下端が軸支されたロッド１２はガイドレール３方向に回動し、ロッド１２に取付けられた小ロッド１４ａを介してローラ１４ｂはガイドレール３との摺接を維持するとともに、外れ止め体１１はガイドレール３方向に変位する。また、逆に地震により乗かご２が水平変位するとともにガイドレール３が撓み、乗かご２とガイドレール３が近接すると、ローラ１４ｂおよび小ロッド１４ａを介してロッド１２はガイドレール３から離れる方向に回動し、これに同期して外れ止め体１１もガイドレール３から離れる方向に変位する。
【００２３】
図５は本発明のエレベータのレール外れ止め装置の第２の実施形態を示す側面図、図６は図５の外れ止め装置の平面図である。なお、前述した図１ないし図４に示すものと同等のものには同一符号が付してある。すなわち、２は乗かご、２ａはかご枠、３はガイドレールである。
【００２４】
第２の実施形態に示すエレベータは前述した第１の実施形態のものと異なりガイドレール３に係合するガイド装置５０は図５に示すように、かご枠２ａに固定される支持台５０ａと、この支持台５０ａに溶接により溶着されるローラ枠５０ｂと、このローラ枠５０ｂに取付けられガイドレール３の正面に摺接する正面ガイドローラ５０ｃと、ローラ枠５０ｂに取付けられガイドレール３の側面に摺接する側面ガイドローラ５０ｄとを備えている。
【００２５】
そして、第２の実施形態のレール外れ止め装置２０は図５、図６に示すように、ガイドレール３に対向する外れ止め体２１と、この外れ止め体２１を水平方向に移動可能に支持する支持体、例えばその上端に形成された長穴２２ａを介して外れ止め体２１が連結されるとともに、その下端が回動可能に軸支されるロッド２２と、支持体であるロッド２２にガイドレール３方向への押圧力を付与する押圧体、例えば一端がロッド１２に取付けられるとともに他端が支持台５０ａに取付けられる引張りばね２３と、ガイドレール３に摺接し外れ止め体２１とガイドレール３との間隔を保持する間隔保持体、例えば一端がロッド２２に取付けられる小ロッド２４ａおよびこの小ロッド２４ａの他端に軸支されるとともにガイドレール３に摺接するローラ２４ｂとを備えている。
【００２６】
また、外れ止め体２１は、ローラ枠５０ｂの上部に設けられた係合体５０ｂ１に係合されるとともに、外れ止めピン２１ａが溶接により溶着され、この外れ止めピン２１ａがロッド２２の長穴２２ａに挿通される。さらに、ロッド２２は、その下端が支持台５０ａに溶接によって溶着された大ヒンジ２５に大ヒンジピン２５ａを介して回動自在に軸支される。さらにまた、引張りばね２３は、一端がロッド２２の下方位置に溶接で溶着されたばね止め２６に取付けられるとともに、他端が支持台５０ａに溶接により溶着されたばね止め２７に取付けられる。また、小ロッド２４ａは、その中間部がローラ枠５０ｂに設けられた小ロッド支持部５０ｂ２間に挿通されるともに、一端がロッド２２に溶接により溶着された小ヒンジ２８に小ヒンジピン２８ａを介して回動自在に軸支される。
【００２７】
この第２の実施形態にあっては、ロッド２２には引張りばね２３により常にガイドレール３方向への押圧力が付与されているとともに、小ロッド２４ａに軸支されるローラ２４ｂがガイドレール３に摺接し外れ止め体１１とガイドレール２との間隔を保持している。これにより、例えば地震により乗かご２が水平変位するとともにガイドレール３が撓み、乗かご２とガイドレール３が離隔すると、その下端が軸支されたロッド２２はガイドレール３方向に回動し、ロッド２２に取付けられた小ロッド２４ａを介してローラ２４ｂはガイドレール３との摺接を維持するとともに、外れ止め体２１はガイドレール３方向に変位する。また、逆に地震により乗かご２が水平変位するとともにガイドレール３が撓み、乗かご２とガイドレール３が近接すると、ローラ２４ｂおよび小ロッド２４ａを介してロッド２２はガイドレール３から離れる方向に回動し、これに同期して外れ止め体２１もガイドレール３から離れる方向に変位する。
【００２８】
図７は本発明のエレベータのレール外れ止め装置の第３の実施形態を示す側面図、図８は図７の外れ止め装置の平面図である。なお、前述した図１ないし図４に示すものと同等のものには同一符号が付してある。すなわち、２は乗かご、２ａはかご枠、３はガイドレール、５はガイド装置、５ａはガイドシュー、５ｂは板体である。
【００２９】
第３の実施形態のレール外れ止め装置３０は図７、図８に示すように、ガイドレール３に対向する外れ止め体３１と、この外れ止め体３１を水平方向に移動可能に支持する支持体、例えばその上端に形成された長穴３２ａを介して外れ止め体３１が連結されるとともに、その下端が回動可能に軸支されるロッド３２と、支持体であるロッド３２にガイドレール３方向への押圧力を付与する押圧体、例えば一端がロッド３２に取付けられるとともに他端が板体５ｂに取付けられる引張りばね３３と、ガイドレール３に摺接し外れ止め体３１とガイドレール３との間隔を保持する間隔保持体、例えば外れ止め体３１に軸支されるとともにガイドレール３に摺接するローラ３４とを備えている。
【００３０】
また、外れ止め体３１は、ガイドシュー５ａに形成された溝５ａ１に係合されるとともに、外れ止めピン３１ａが溶接により溶着され、この外れ止めピン３１ａがロッド３２の長穴３２ａに挿通される。さらに、ロッド３２は、その下端が板体５ｂに溶接によって溶着された大ヒンジ３５に大ヒンジピン３５ａを介して回動自在に軸支される。さらにまた、引張りばね３３は、一端がロッド３２の中間位置に溶接で溶着されたばね止め３６に取付けられるとともに、他端が板体５ｂに溶接により溶着されたばね止め３７に取付けられる。また、ローラ３４は、外れ止め体３１に形成されたコの字状の切欠き部３１ａに設けられたローラ軸３４ａに軸支される。
【００３１】
この第３の実施形態にあっては、ロッド３２には引張りばね３３により常にガイドレール３方向への押圧力が付与されているとともに、外れ止め体３１に軸支されるローラ３４がガイドレール３に摺接し外れ止め体１１とガイドレール２との間隔を保持している。これにより、例えば地震により乗かご２が水平変位するとともにガイドレール３が撓み、乗かご２とガイドレール３が離隔すると、その下端が軸支されたロッド３２はガイドレール３方向に回動し、ロッド３２に支持される外れ止め体３１がガイドレール３方向に変位するとともに、外れ止め体３１に軸支されたローラ３４はガイドレール３との摺接を維持する。また、逆に地震により乗かご２が水平変位するとともにガイドレール３が撓み、乗かご２とガイドレール３が近接すると、ローラ３４を介して外れ止め体３１にガイドレール３から離れる方向に力が作用し、これに応じてロッド３２はガイドレール３から離れる方向に変位する。
【００３２】
このように構成した第１ないし第３の実施形態では、地震等による乗かご２の変位およびガイドレール３の撓みが発生しても外れ止め体１１、２１、３１はガイドレール３の動きに追従することから必要な係り代を保持することができる。これによって、ガイドレール３の撓みを抑止する目的でなされるレールブラケットの増設、またはガイドレールのサイズアップを要することがなく、したがってエレベータの設置費用の低減を図ることができる。
【００３３】
なお、前述した第１ないし第３の実施形態では昇降体である乗かご２に取付けられるレール外れ止め装置１０、２０、３０として説明したが、本発明はこれに限らずつり合いおもりに取付けられる外れ止め装置とすることもできる。
【００３４】
【発明の効果】
本発明によれば、支持体により水平方向に移動可能に支持される外れ止め体は地震等による昇降体の変位およびガイドレールの撓みに追従することから必要な係り代を保持することができ、これによって、ガイドレールの撓みを抑止する目的でなされるレールブラケットの増設、またはガイドレールのサイズアップを要することがなく、したがってエレベータの設置費用の低減を図ることができる。
【図面の簡単な説明】
【図１】エレベータのレール外れ止め装置の第１の実施形態を示す側面図である。
【図２】図１のレール外れ止め装置の平面図である。
【図３】図１のレール外れ止め装置が取付けられる乗かごの正面図である。
【図４】乗かごが水平変位したときの状態を示す平面図である。
【図５】本発明のエレベータのレール外れ止め装置の第２の実施形態を示す側面図である。
【図６】図５の外れ止め装置の平面図である。
【図７】本発明のエレベータのレール外れ止め装置の第３の実施形態を示す側面図である。
【図８】図７の外れ止め装置の平面図である。
【符号の説明】
１        昇降路
２        乗かご
３        ガイドレール
５、５０  ガイド装置
１０、２０、３０        レール外れ止め装置
１１、２１、３１        外れ止め体
１２、２２、３２        ロッド（支持体）
１２ａ、２２ａ、３２ａ  長穴
１３、２３、３３        引張りばね（押圧体）
１４ａ、２４ａ          小ロッド（間隔保持体）
１４ｂ、２４ｂ、３４    ローラ（間隔保持体）
【図１】
2004231342.tif 000003
【図２】
2004231342.tif 000004
【図３】
2004231342.tif 000005
【図４】
2004231342.tif 000006
【図５】
2004231342.tif 000007
【図６】
2004231342.tif 000008
【図７】
2004231342.tif 000009
【図８】
2004231342.tif 000010